(57)【要約】【課題】小型化を図ることができる発光装置を提供することである。【解決手段】実施形態に係る発光装置は、発光素子と、電源と、前記発光素子のカソード側に接続され、導電性を有する第１の接続部と、前記発光素子のアノード側に接続され、導電性を有する第２の接続部と、前記電源のマイナス極側に接続され、導電性を有し、前記第１の接続部と脱着可能に接続される第３の接続部と、前記電源のプラス極側に接続され、導電性を有し、前記第２の接続部と脱着可能に接続される第４の接続部と、を備えている。【選択図】図１
2017054794.tif 000002
【特許請求の範囲】
【請求項１】
発光素子と、
電源と、
前記発光素子のカソード側に接続され、導電性を有する第１の接続部と、
前記発光素子のアノード側に接続され、導電性を有する第２の接続部と、
前記電源のマイナス極側に接続され、導電性を有し、前記第１の接続部と脱着可能に接続される第３の接続部と、
前記電源のプラス極側に接続され、導電性を有し、前記第２の接続部と脱着可能に接続される第４の接続部と、
を備えた発光装置。
【請求項２】
前記第１の接続部、前記第２の接続部、前記第３の接続部、および前記第４の接続部の少なくともいずれかは、複数の部分に分割されている請求項１記載の発光装置。
【請求項３】
前記第１の接続部および前記第３の接続部の一方は、導電性を有するループ部を備え、他方は、前記ループ部と脱着可能に接続され導電性を有するフック部を備え、
前記第２の接続部および前記第４の接続部の一方は、導電性を有するループ部を備え、他方は、前記ループ部と脱着可能に接続され導電性を有するフック部を備える請求項１または２に記載の発光装置。
【請求項４】
発光素子と、
前記発光素子のアノード側にプラス極側が接続された電源と、
前記発光素子のカソード側に接続され、導電性を有する第５の接続部と、
前記電源のマイナス極側に接続され、導電性を有する第６の接続部と、
導電性を有し、前記第５の接続部と脱着可能に接続される第７の接続部と、
導電性を有し、前記第７の接続部と導通し、前記第６の接続部と脱着可能に接続される第８の接続部と、
を備えた発光装置。
【請求項５】
前記第５の接続部、前記第６の接続部、前記第７の接続部、および前記第８の接続部の少なくともいずれかは、複数の部分に分割されている請求項４記載の発光装置。
【請求項６】
前記第５の接続部および前記第７の接続部の一方は、導電性を有するループ部を備え、他方は、前記ループ部と脱着可能に接続され導電性を有するフック部を備え、
前記第６の接続部および前記第８の接続部の一方は、導電性を有するループ部を備え、他方は、前記ループ部と脱着可能に接続され導電性を有するフック部を備える請求項４または５に記載の発光装置。
【請求項７】
発光素子と、
電源と、  
前記発光素子のカソード側に接続され、導電性を有する第９の接続部と、
前記発光素子のアノード側に接続され、導電性を有する第１０の接続部と、
前記電源のプラス極側に接続され、導電性を有する第１１の接続部と、
前記電源のマイナス極側に接続され、導電性を有する第１２の接続部と、
導電性を有し、前記第９の接続部および前記第１１の接続部と脱着可能に接続される第１３の接続部と、
導電性を有し、前記第１０の接続部および前記第１２の接続部と脱着可能に接続される第１４の接続部と、
を備えた発光装置。
【請求項８】
前記第９の接続部、前記第１０の接続部、前記第１１の接続部、および前記第１２の接続部の少なくともいずれかは、複数の部分に分割されている請求項７記載の発光装置。
【請求項９】
前記第９の接続部、前記第１１の接続部、および前記第１３の接続部の一方は、導電性を有するループ部を備え、他方は、前記ループ部と脱着可能に接続され導電性を有するフック部を備え、
前記第１０の接続部、前記第１２の接続部、前記第１４の接続部の一方は、導電性を有するループ部を備え、他方は、前記ループ部と脱着可能に接続され導電性を有するフック部を備える請求項７または８に記載の発光装置。
【発明の詳細な説明】
【技術分野】
【０００１】
本発明の実施形態は、発光装置に関する。
【背景技術】
【０００２】
複数の発光部と、電源回路と、複数の発光部の点灯と消灯を行うスイッチとを備えた発光装置がある。  
この様な発光装置においては、複数の発光部と、電源回路を構成する電子部品と、スイッチとが１枚の基板上に実装されている。  
この場合、チップスケールパッケージ(CSP:Chip Scale Package)を用いて発光部の小型化を図ることができる。  
しかしながら、配光特性などを考慮して複数の発光部をレイアウトし、さらに、発光部よりも大きな電子部品やスイッチをレイアウトすると、小型の発光部を用いたとしても基板が大きくなる。そのため、発光装置の小型化が図れなくなるおそれがある。
【先行技術文献】
【特許文献】
【０００３】
【特許文献１】特開２００６−１３０１８号公報
【発明の概要】
【発明が解決しようとする課題】
【０００４】
本発明が解決しようとする課題は、小型化を図ることができる発光装置を提供することである。
【課題を解決するための手段】
【０００５】
実施形態に係る発光装置は、発光素子と、電源と、前記発光素子のカソード側に接続され、導電性を有する第１の接続部と、前記発光素子のアノード側に接続され、導電性を有する第２の接続部と、前記電源のマイナス極側に接続され、導電性を有し、前記第１の接続部と脱着可能に接続される第３の接続部と、前記電源のプラス極側に接続され、導電性を有し、前記第２の接続部と脱着可能に接続される第４の接続部と、を備えている。
【図面の簡単な説明】
【０００６】
【図１】発光装置１の模式図である。
【図２】接続部１４、接続部１５、接続部２４、および接続部２５の模式図である。
【図３】他の実施形態に係る接続部１４および接続部１５の模式図である。
【図４】他の実施形態に係る接続部２４および接続部２５の模式図である。
【図５】他の実施形態に係る接続部１４、接続部１５、接続部２４、および接続部２５の模式図である。
【図６】発光部１３の模式断面図である。
【図７】複数の発光部１３が設けられる場合を例示するための模式斜視図である。
【図８】発光装置１ａの模式図である。
【図９】他の実施形態に係る接続部２４および接続部２５の模式図である。
【図１０】他の実施形態に係る接続部１４、接続部１５、接続部２４、および接続部２５の模式図である。
【図１１】発光装置１ｂの模式図である。
【発明を実施するための形態】
【０００７】
以下、図面を参照しつつ、実施の形態について例示をする。なお、各図面中、同様の構成要素には同一の符号を付して詳細な説明は適宜省略する。  
（第１の実施形態）  
図１（ａ）は、第１の実施形態に係る発光装置１を例示するための模式断面図である。  図１（ｂ）は、発光装置１の等価回路図である。  
なお、図１（ａ）、（ｂ）は、発光モジュール１０と、回路モジュール２０とが分離された状態を表している。
【０００８】
図１（ａ）、（ｂ）に示すように、発光装置１には、発光モジュール１０と回路モジュール２０が設けられている。  
発光モジュール１０は、基板１１、パネル１２、発光部１３、接続部１４（第１の接続部の一例に相当する）、および接続部１５（第２の接続部の一例に相当する）を有する。
基板１１には、基体１１ａ、配線パターン１１ｂおよびコンタクト１１ｃが設けられている。  
基体１１ａは、絶縁性を有している。基体１１ａの材料や形態には特に限定はなく、発光装置１の用途などに応じて適宜変更することができる。  
例えば、基体１１ａは、樹脂などから形成されたフィルムなどとすることができる。この様にすれば、可撓性を有する基体１１ａとすることができる。可撓性を有する基体１１ａとすれば、発光モジュール１０の形態を回路モジュール２０（ケース２２および基板２１）の形態に倣わせることができる。そのため、例えば、湾曲した回路モジュール２０（ケース２２および基板２１）に発光モジュール１０を容易に取り付けることができる。
また、基体１１ａは、例えば、金属板の表面を絶縁性材料で覆ったものや、セラミックスなどから形成することもできる。この様にすれば、発光部１３において発生した熱を効率よく放熱することができる。
【０００９】
配線パターン１１ｂは、基体１１ａの一方の表面に設けられている。配線パターン１１ｂは、金属などの導電性材料から形成されている。  
配線パターン１１ｂには、後述する発光部１３の第１電極部１３４と、第２電極部１３５が電気的に接続される。  
コンタクト１１ｃは、基体１１ａの内部に設けられている。コンタクト１１ｃは、金属などの導電性材料から形成されている。コンタクト１１ｃの一方の端部は、配線パターン１１ｂと電気的に接続されている。コンタクト１１ｃの他方の端部は、基体１１ａの、配線パターン１１ｂが設けられる側とは反対側の面から露出している。
【００１０】
パネル１２は、基体１１ａの、配線パターン１１ｂが設けられた面に設けられている。パネル１２は、例えば、絶縁性接着剤を用いて、基体１１ａに接着することができる。  パネル１２は、絶縁性を有している。パネル１２の材料には特に限定はなく、発光装置１の用途などに応じて適宜変更することができる。例えば、パネル１２の材料は樹脂などとすることができる。  
また、パネル１２には、厚み方向を貫通する孔１２ａが設けられている。孔１２ａの内部には、発光部１３が設けられている。  
パネル１２を設けるようにすれば、外力などから、配線パターン１１ｂおよび発光部１３を保護することができる。
また、パネル１２が、複数の発光部１３を被覆するように設けられることで、発光部１３の表面保護と発光領域の拡大を図ることができる。この場合、パネル１２の材料に発光部１３の発光光を透過する透光性樹脂などの透光性材料を用いると、透光性材料に漏れ出した発光光も発光装置の輝度向上に寄与することになる。
【００１１】
発光部１３は、発光素子１３１を有する。発光素子１３１は、例えば、発光ダイオード、レーザダイオード、有機発光ダイオードなどとすることができる。  
ただし、発光素子１３１は、例示をしたものに限定されるわけではなく、電気エネルギーを光エネルギーに変換できるものであればよい。  
なお、以下においては、一例として、発光素子１３１が発光ダイオードである場合を例示する。
【００１２】
発光部１３は、例えば、図１（ａ）に例示をしたように、配線パターン１１ｂの上に透光性基板を有した発光素子１３１をフリップ・チップ接続(Flip chip bonding)することができる。発光部１３は、例えば、ワイヤーボンディング法を用いて配線パターン１１ｂと電気的に接続することもできる。
また、発光部１３は、発光素子１３１を被覆する蛍光体層を有していても良い。この場合、パネル部１２に蛍光体を含有させることで、発光素子１３１からの光取り出し効率を向上させることができる。さらに、発光領域をパッケージ樹脂で包含したチップスケールパッケージ（CSP:Chip Scale Package）タイプの発光部１３を用いると、軽量なウエラブルタイプの発光装置とすることができる。
なお、発光部１３（発光素子１３１）の数や配設形態などには特に限定はなく、発光装置１の用途や大きさなどに応じて適宜変更することができる。  
例えば、発光部１３の数は、図１（ａ）に例示をしたように１個であってもよいし、複数であってもよい。  
なお、発光部１３の構成や配設形態に関する詳細は後述する。
【００１３】
接続部１４および接続部１５は、基体１１ａの、配線パターン１１ｂが設けられる側とは反対側の面に設けられている。接続部１４および接続部１５は、例えば、導電性ビア、導電性接着剤や半田などを用いて、コンタクト１１ｃと電気的に接続することができる。また、接続部１４および接続部１５は、例えば、接合剤や接着剤などを用いて基体１１ａに接合することができる。  
この場合、接続部１４および接続部１５は、コンタクト１１ｃに直接接続することもできるし、基体１１ａに設けられたパッド或いはスルーホールを介してコンタクト１１ｃに接続することもできる。パッドは、例えば、金属などの導電性材料から形成され、コンタクト１１ｃと電気的に接続されたものとすることができる。  
接続部１４は、コンタクト１１ｃおよび配線パターン１１ｂを介して、発光部１３の第２電極部１３５（カソード側電極）と電気的に接続されている。  
接続部１５は、コンタクト１１ｃおよび配線パターン１１ｂを介して、発光部１３の第１電極部１３４（アノード側電極）と電気的に接続されている。
【００１４】
回路モジュール２０は、基板２１、ケース２２、電源回路２３、接続部２４（第３の接続部の一例に相当する）、および接続部２５（第４の接続部の一例に相当する）を有する。
基板２１には、基体２１ａ、配線パターン２１ｂおよびコンタクト２１ｃが設けられている。  
基体２１ａは、絶縁性を有している。基体２１ａの材料や形態には特に限定はなく、発光装置１の用途などに応じて適宜変更することができる。  
例えば、基体２１ａは、光透過性の樹脂基板、光硬化性樹脂基板、リードフレームが樹脂に包囲された基板、ガラスエポキシ基板などとすることができる。
【００１５】
配線パターン２１ｂは、基体２１ａの一方の表面に設けられている。配線パターン２１ｂは、金属や酸化物を含む導電体などの導電性材料から形成されている。  
配線パターン２１ｂには、電源回路２３が電気的に接続される。  
コンタクト２１ｃは、基体２１ａの内部に設けられている。コンタクト２１ｃは、金属などの導電性材料から形成されている。コンタクト２１ｃの一方の端部は、配線パターン２１ｂと電気的に接続されている。コンタクト２１ｃの他方の端部は、基体２１ａの、配線パターン２１ｂが設けられる側とは反対側の面から露出している。
【００１６】
ケース２２は、カバー２２ａおよび取り付け部２２ｂを有する。  
カバー２２ａは、基体２１ａの、配線パターン２１ｂが設けられた面に設けられている。カバー２２ａの基体２１ａ側の面には凹部が設けられている。カバー２２ａの凹部の内部には、電源回路２３が収納される。  
取り付け部２２ｂは、カバー２２ａの、凹部側とは反対側の面に設けられている。取り付け部２２ｂは、板状を呈し、発光装置１を設置する場所に設けられる。  
カバー２２ａおよび取り付け部２２ｂの材料には特に限定はなく、例えば、樹脂、金属、セラミックスなどから形成することができる。  
また、ケース２２の構成も例示をしたものに限定されるわけではなく、発光装置１の用途などに応じて適宜変更することができる。
【００１７】
また、平坦な形状を有するケース２２および基板２１を例示したが、発光装置１の設置場所の形態などに応じて、湾曲した形状を有するケース２２および基板２１とすることもできる。  
また、可撓性を有するケース２２および基板２１とすることもできる。可撓性を有するケース２２および基板２１とすれば、発光装置１の設置場所の形態に倣わせることができる。そのため、例えば、湾曲した設置場所に回路モジュール２０を容易に取り付けることができる。
【００１８】
電源回路２３は、電源２３ａおよび抵抗２３ｂを有する。  
電源２３ａは、例えば、電池などの直流電源とすることができる。  
また、電源２３ａを、外光を受光する太陽電池とその電力を貯める充電池とすることで、電池交換の頻度を少なくすることができる。
抵抗２３ｂは、例えば、電源２３ａのプラス極側に直列接続することができる。  
抵抗２３ｂは、発光素子１３１に流れる電流を制限する。抵抗２３ｂは、電流制限抵抗である。例えば、抵抗２３ｂは、発光素子１３１に流れる電流が最大順電流の５０％〜７０％以下となるような抵抗値を有したものとすることができる。  
抵抗２３ｂは、例えば、表面実装型の抵抗器（チップ抵抗器）、リード線を有する抵抗器（酸化金属皮膜抵抗器）、スクリーン印刷法などを用いて形成された膜状の抵抗器（圧膜抵抗器）などとすることができる。
【００１９】
ここで、発光素子１３１の順方向電圧特性にはばらつきがあるので、発光素子１３１に印加される電圧を一定にすると、発光素子１３１の明るさ（光束、輝度、光度、照度）にばらつきが生じる。そのため、発光素子１３１の明るさが所定の範囲内に収まるように、抵抗２３ｂの抵抗値を調整することもできる。  
例えば、膜状の抵抗器にレーザ光を照射して、膜状の抵抗器の一部を除去することで、抵抗値を調整することができる。  
この場合、膜状の抵抗器の一部を除去することで抵抗値を増加させることができる。    なお、抵抗２３ｂは、発光モジュール１０に設けてもよい。  
また、接続部２４および接続部２５の抵抗値によっては、抵抗２３ｂを省くことができる。
【００２０】
また、発光モジュール１０と回路モジュール２０の接続方向を誤ると、発光素子１３１に逆方向電圧が印加されるおそれがある。そのため、発光モジュール１０および回路モジュール２０のいずれかに、発光素子１３１に逆方向電圧が印加されないようにするためのダイオードを設けることもできる。
【００２１】
接続部２４および接続部２５は、基体２１ａの、配線パターン２１ｂが設けられる側とは反対側の面に設けられている。接続部２４および接続部２５は、例えば、導電性ビア、導電性接着剤や半田などを用いて、コンタクト２１ｃと電気的に接続することができる。また、接続部２４および接続部２５は、例えば、接合剤や接着剤などを用いて基体２１ａに接合することができる。  
この場合、接続部２４および接続部２５は、コンタクト２１ｃに直接接続することもできるし、基体２１ａに設けられたパッド或いはスルーホールを介してコンタクト２１ｃに接続することもできる。パッドは、例えば、金属などの導電性材料から形成され、コンタクト２１ｃと電気的に接続されたものとすることができる。  
接続部２４は、コンタクト２１ｃおよび配線パターン２１ｂを介して、電源２３ａのマイナス極側に電気的に接続されている。  
接続部２５は、コンタクト２１ｃ、配線パターン２１ｂ、および抵抗２３ｂを介して、電源２３ａのプラス極側に接続されている。
【００２２】
発光モジュール１０と回路モジュール２０を接続する際には、接続部１４と接続部２４とが電気的に接続され、接続部１５と接続部２５とが電気的に接続される。  
また、接続部１４と接続部２４とを接続した際に保持力が発生するようになっている。接続部１５と接続部２５とを接続した際に保持力が発生するようになっている。  
そのため、接続部１４、接続部１５、接続部２４、および接続部２５は、導電性を有し、保持力を発生させることができる構造を有している。また、接続部１４と接続部２４は、脱着可能に接続され、接続部１５と接続部２５は、脱着可能に接続される。
【００２３】
図２（ａ）〜（ｄ）は、接続部１４、接続部１５、接続部２４、および接続部２５を例示するための模式図である。  
図２（ａ）に示すように、接続部１４および接続部１５は、基部１６およびフック部１７を有したものとすることができる。  
接続部２４および接続部２５は、基部２６およびループ部２７を有したものとすることができる。  
基部１６および基部２６は、導電性を有し、フィルム状を呈している。基部１６および基部２６は、可撓性を有したものとすることが好ましい。
【００２４】
フック部１７は、可撓性および導電性を有する。フック部１７は、例えば、かぎ状（フック状）やキノコ状を呈するものとすることができる。フック部１７の一方の端部は、基部１６に接合されている。  
フック部１７は、一方の端部側が基部１６に接合された１つの接合部となっており、他方の端部側が複数のかぎ状部や複数のキノコ状部とからなっていてもよい。この様にすれば、より少ない力で脱着が可能となる。
ループ部２７は、可撓性および導電性を有する。ループ部２７は、例えば、環状（ループ状）を呈するものとすることができる。ループ部２７の一方の端部は、基部２６に接合されている。  
ループ部２７は、一方の端部側が基部２６に接合された１つの接合部となっており、他方の端部側が複数のかぎ状部や複数のキノコ状部とからなっていてもよい。この様にすれば、より少ない力で脱着が可能となる。
基部１６、フック部１７、基部２６およびループ部２７は、例えば、導電性樹脂、金属、樹脂の表面に金属などの導電性材料をコーティングしたものなどから形成することができる。
【００２５】
回路モジュール２０に発光モジュール１０を押し付けると、可撓性を有するフック部１７とループ部２７が撓み、フック部１７の先端部分がループ部２７の先端部分に引っかけられる。また、フック部１７の先端部分とループ部２７の先端部分が密着する。  
そのため、接続部１４と接続部２４とが電気的に接続され、且つ保持力が発生する。接続部１５と接続部２５とが電気的に接続され、且つ保持力が発生する。  
接続部１４と接続部２４とが電気的に接続され、接続部１５と接続部２５とが電気的に接続されると、発光部１３（発光素子１３１）に電流が流れる。そのため、発光装置１が点灯する。
【００２６】
また、回路モジュール２０を発光モジュール１０から引き剥がすと、可撓性を有するフック部１７とループ部２７が撓み、フック部１７の先端部分がループ部２７の先端部分から外れる。  
そのため、接続部１４と接続部２４を分離させることができる。接続部１５と接続部２５を分離させることができる。    
接続部１４と接続部２４、または、接続部１５と接続部２５が分離すると、発光部１３（発光素子１３１）に電流が流れなくなる。そのため、発光装置１が消灯する。  
すなわち、接続部１４、接続部１５、接続部２４、および接続部２５は、発光モジュール１０と回路モジュール２０を電気的に接続する機能、機械的な保持と分離を行う機能、スイッチ（電気的な接続と分離）の機能を有している。
【００２７】
なお、発光モジュール１０および回路モジュール２０のいずれかに前述したダイオードを設けておけば、接続部１４と接続部２５とが電気的に接続され、接続部１５と接続部２４とが電気的に接続されても、発光素子１３１に逆方向電圧が印加されることがない。  
また、例えば、接続部１４がフック部１７を有し、接続部１５がループ部２７を有し、接続部２４がループ部２７を有し、接続部２５がフック部１７を有したものとすることもできる。  
このようにすれば、フック部１７を有する接続部１４と、フック部１７を有する接続部２５とが接続されるのを抑制することができる。また、ループ部２７を有する接続部１５と、ループ部２７を有する接続部２４とが接続されるのを抑制することができる。  
また、接続部１４および接続部２４を同じ色にしたり、同じ目印を付けたりすることもできる。接続部１５および接続部２５を同じ色にしたり、同じ目印を付けたりすることもできる。
【００２８】
また、接続部１４、接続部１５、接続部２４、および接続部２５が同じ構成を有するものとすることもできる。  
例えば、図２（ｂ）に示すように、接続部１４、接続部１５、接続部２４、および接続部２５が、フック部１７とループ部２７の両方を備えたものとすることもできる。  
この様にすれば、接続部１４、接続部１５、接続部２４、および接続部２５の共通化を図ることができるので、製造コストの低減を図ることができる。
【００２９】
また、先端が曲がっているフック部１７を例示したが、フック部１７の形態はこれに限定されるわけではない。  
例えば、図２（ｃ）に示すように、キノコ状のフック部１７ａとすることもできる。  
また、図２（ｄ）に示すように、キノコ状のフック部１７ａと、先端が開放したループ部２７ａとすることもできる。
【００３０】
また、図１（ａ）に示すように、接続部１４、接続部１５、接続部２４、および接続部２５の幅寸法をＬＩ、接続部１４と接続部１５の間の寸法および接続部２４と接続部２５の間の寸法をＬ２とした場合に、ＬＩ＜Ｌ２となるようにすることが好ましい。  
この様にすれば、接続部１４と接続部２４、接続部１５と接続部２５がずれた状態で接続されたとしても、短絡が生じるのを抑制することができる。
【００３１】
なお、接続部１４、接続部１５、接続部２４、および接続部２５の構成は例示をしたものに限定されるわけではない。  
接続部１４、接続部１５、接続部２４、および接続部２５の構成は、発光モジュール１０と回路モジュール２０を電気的に接続する機能、機械的な保持と分離を行う機能、スイッチ（電気的な接続と分離）の機能を有したものであればよい。  
例えば、接続部１４、接続部１５、接続部２４、および接続部２５の構成は、永久磁石のＳ極とＮ極、永久磁石と磁性体、金属などの導電性材料を用いたスナップボタン、金属などの導電性材料を用いたジッパーなどを利用したものであってもよい。
【００３２】
図３（ａ）は、他の実施形態に係る接続部１４および接続部１５を例示するための模式断面図である。  
図３（ｂ）は、等価回路図である。  
なお、図３（ａ）、（ｂ）は、発光モジュール１０と、回路モジュール２０とが分離された状態を表している。  
図３（ａ）、（ｂ）に示すように、接続部１４は、複数の部分１４ａに分割することができる。  
接続部１５は、複数の部分１５ａに分割することができる。  
この場合、複数の部分１４ａのそれぞれは、コンタクト１１ｃを介して配線パターン１１ｂと電気的に接続される。  
複数の部分１５ａのそれぞれは、コンタクト１１ｃを介して配線パターン１１ｂと電気的に接続される。  
接続部１４および接続部１５を分割構造とすれば、保持力を調整することができる。  
また、分割構造の１部を接続させれば、発光モジュール１０と回路モジュール２０の電気的接続及び機械的接続が可能となる。そのため、発光モジュール１０と回路モジュール２０の位置合わせを厳密に行う必要がない。
この場合、分割数、分割された部分の幅寸法、分割された部分同士の間の寸法などを適宜設定することで、所望の保持力を得ることができる。
【００３３】
図４（ａ）は、他の実施形態に係る接続部２４および接続部２５を例示するための模式断面図である。  
図４（ｂ）は、等価回路図である。  
なお、図４（ａ）、（ｂ）は、発光モジュール１０と、回路モジュール２０とが分離された状態を表している。  
図４（ａ）、（ｂ）に示すように、接続部２４は、複数の部分２４ａに分割することができる。  
接続部２５は、複数の部分２５ａに分割することができる。  
この場合、複数の部分２４ａのそれぞれは、コンタクト２１ｃを介して配線パターン２１ｂと電気的に接続される。  
複数の部分２５ａのそれぞれは、コンタクト２１ｃを介して配線パターン２１ｂと電気的に接続される。  
接続部２４および接続部２５を分割構造とすれば、保持力を調整することができる。  
また、分割構造の１部を接続させれば、発光モジュール１０と回路モジュール２０の電気的接続及び機械的接続が可能となる。そのため、発光モジュール１０と回路モジュール２０の位置合わせを厳密に行う必要がない。
この場合、分割数、分割された部分の幅寸法、分割された部分同士の間の寸法などを適宜設定することで、所望の保持力を得ることができる。
【００３４】
図５（ａ）は、他の実施形態に係る接続部１４、接続部１５、接続部２４、および接続部２５を例示するための模式断面図である。  
図５（ｂ）は、等価回路図である。  
なお、図５（ａ）、（ｂ）は、発光モジュール１０と、回路モジュール２０とが分離された状態を表している。  
図５（ａ）、（ｂ）に示すように、接続部１４は、複数の部分１４ａに分割することができる。  
接続部１５は、複数の部分１５ａに分割することができる。  
この場合、複数の部分１４ａのそれぞれは、コンタクト１１ｃを介して配線パターン１１ｂと電気的に接続される。  
複数の部分１５ａのそれぞれは、コンタクト１１ｃを介して配線パターン１１ｂと電気的に接続される。  
また、接続部２４は、複数の部分２４ａに分割することができる。  
接続部２５は、複数の部分２５ａに分割することができる。  
この場合、複数の部分２４ａのそれぞれは、コンタクト２１ｃを介して配線パターン２１ｂと電気的に接続される。  
複数の部分２５ａのそれぞれは、コンタクト２１ｃを介して配線パターン２１ｂと電気的に接続される。  
接続部１４、接続部１５、接続部２４、および接続部２５を分割構造とすれば、保持力を調整することができる。  
また、分割構造の１部を接続させれば、発光モジュール１０と回路モジュール２０の電気的接続及び機械的接続が可能となる。そのため、発光モジュール１０と回路モジュール２０の位置合わせを厳密に行う必要がない。
この場合、分割数、分割された部分の幅寸法、分割された部分同士の間の寸法などを適宜設定することで、所望の保持力を得ることができる。  
なお、接続部１４、接続部１５、接続部２４、および接続部２５の少なくともいずれかを分割してもよい。
【００３５】
次に、発光部１３についてさらに説明する。  
図６は、発光部１３を例示するための模式断面図である。  
図６に示すように、発光部１３には、発光素子１３１、透光部１３２、絶縁部１３３、第１電極部１３４、第２電極部１３５、封止部１３６が設けられている。  
発光素子１３１は、発光ダイオードである。発光素子１３１は、第１半導体層１３１ａ、発光層１３１ｂ、および第２半導体層１３１ｃを有する。  
第１半導体層１３１ａは、例えば、ｐ形となるようにドープされた半導体（ｐ形半導体）から形成された層である。  
発光層１３１ｂは、第１半導体層１３１ａの上に設けられている。  
発光層１３１ｂは、例えば、正孔および電子が再結合して光を発生する井戸層と、井戸層よりも大きなバンドギャップを有する障壁層と、によって構成された量子井戸構造を有する。  
第２半導体層１３１ｃは、発光層１３１ｂの上に設けられている。  
第２半導体層１３１ｃは、例えば、ｎ形となるようにドープされた半導体（ｎ形半導体）から形成された層である。
【００３６】
発光素子１３１が、青色の光を放射する青色発光ダイオードである場合には、半導体は、例えば、窒化物系半導体である。  
この場合、窒化物系半導体は、例えば、ＧａＮ（窒化ガリウム）、ＡｌＮ（窒化アルミニウム）、ＡｌＧａＮ（窒化アルミニウムガリウム）、ＩｎＧａＮ（窒化インジウムガリウム）、ＩｎＧａＡｌＮ（窒化インジュウムガリウムアルミニウム）などである。  
発光素子１３１の光を放射する面１３１ｄには、凹凸部１３１ｄ１が設けられている。  凹凸部１３１ｄ１を設ければ、発光素子１３１の発光層１３１ａからの発光光を発光素子１３１の外部により多く取り出すことができたり、蛍光体からの蛍光光を反射させたりすることができる。また、凹凸部１３１ｄ１の界面では、発光光及び蛍光光を散乱させることができる。
【００３７】
透光部１３２は、発光素子１３１の面１３１ｄ上に設けられている。透光部１３２は、透光性を有する材料と、蛍光体１３２ａを含んでいる。  
透光性を有する材料は、例えば、透光性を有する樹脂などである。透光性を有する樹脂は、例えば、エポキシ樹脂、シリコーン系樹脂、メタクリル樹脂(ＰＭＭＡ)、ポリカーボネート(ＰＣ)、環状ポリオレフィン(ＣＯＰ)、脂環式アクリル(ＯＺ)、アリルジグリコールカーボネート(ＡＤＣ)、アクリル系樹脂、フッ素系樹脂、シリコーン系樹脂とエポキシ樹脂とのハイブリット樹脂、ウレタン樹脂などである。
【００３８】
蛍光体１３２ａは、粒状を呈し、発光素子１３１から放射された光の一部を吸収して、所定の波長を有する蛍光を発する。  
例えば、蛍光体１３２ａは、発光素子１３１から放射された青色の光の一部を吸収して、黄色の蛍光を発するものとすることができる。この場合、透光部１３２からは、例えば、蛍光体１３２ａに吸収されなかった青色の光と、蛍光体１３２ａから発せられた黄色の蛍光とが放射される。そして、補色関係（青色の光と黄色の蛍光）から白色光が照射される。
【００３９】
なお、１種類の蛍光体を用いることもできるし、複数の種類の蛍光体を組み合わせて用いることもできる。  
例えば、発光素子１３１から放射された青色の光に対して、黄色の蛍光を発する蛍光体のみを用いることができる。また、発光素子１３１から放射された青色の光に対して、赤色の蛍光を発する蛍光体と、緑色の蛍光を発する蛍光体とを組み合わせて用いることもできる。この場合、透光部１３２からは青色の光と赤色の光と緑色の光とが放射されることになる。
【００４０】
黄色の蛍光を発する蛍光体の材料としては、例えば、以下のものを例示することができる。ただし、これらに限定されるわけではなく適宜変更することができる。    
Ｌｉ（Ｅｕ，Ｓｍ）Ｗ２Ｏ８、  
（Ｙ，Ｇｄ）３，（Ａｌ，Ｇａ）５Ｏ１２：Ｃｅ３＋、  
Ｌｉ２ＳｒＳｉＯ４：Ｅｕ２＋、  
（Ｓｒ（Ｃａ，Ｂａ））３ＳｉＯ５：Ｅｕ２＋、  
ＳｒＳｉ２ＯＮ２．７：Ｅｕ２＋
赤色の蛍光を発する蛍光体の材料としては、例えば、以下のものを例示することができる。ただし、これらに限定されるわけではなく適宜変更することができる。  
Ｌａ２Ｏ２Ｓ：Ｅｕ，Ｓｍ、  
ＬａＳｉ３Ｎ５：Ｅｕ２＋、  
α−ｓｉａｌｏｎ：Ｅｕ２＋、    
ＣａＡｌＳｉＮ３：Ｅｕ２＋、  
（ＳｒＣａ）ＡｌＳｉＮ３：ＥｕＸ＋、  
Ｓｒｘ（ＳｉｙＡｌ３）ｚ（ＯｘＮ）：ＥｕＸ＋
緑色の蛍光を発する蛍光体の材料としては、例えば、以下のものを例示することができる。ただし、これらに限定されるわけではなく適宜変更することができる。  
（Ｂａ，Ｓｒ，Ｍｇ）Ｏ・ａＡｌ２Ｏ３：Ｍｎ、    
（ＢｒＳｒ）ＳｉＯ４：Ｅｕ、  
α−ｓｉａｌｏｎ：Ｙｂ２＋、  
β−ｓｉａｌｏｎ：Ｅｕ２＋、    
（ＣａＳｒ）Ｓｉ２Ｏ４Ｎ７：Ｅｕ２＋、  
Ｓｒ（ＳｉＡｌ）（ＯＮ）：Ｃｅ
なお、蛍光体が発する蛍光の色の種類や組み合わせは、例示をしたものに限定されるわけではなく、発光装置１の用途などに応じて適宜変更することができる。  
また、蛍光体１３２ａは必ずしも必要ではなく、発光装置１の用途などに応じて適宜設けるようにすることができる。蛍光体１３２ａが設けられない場合には、発光素子１３１から放射された光が透光部１３２を介して放射されることになる。
【００４１】
絶縁部１３３は、発光素子１３１の、光が放射される側とは反対の側の面１３１ｅを覆うように設けられている。  
絶縁部１３３は、例えば、ＳｉＯ２（酸化シリコン）などから形成することができる。  第１電極部１３４は、例えば、第１シード部１３４ａ、第１電極配線１３４ｂ、第１ピラー部１３４ｃを有する。  
第２電極部１３５は、例えば、第２シード部１３５ａ、第２電極配線１３５ｂ、第２ピラー部１３５ｃを有する。
発光素子１３１の側面と封止部１３６との間に第３シード部（図示しない）を設けることもできる。この様にすれば、封止部１３６側に漏れ出す光を低減することができる。
【００４２】
第１半導体層１３１ａの表面に設けられた図示しない電極は、第１シード部１３４ａ、第１電極配線１３４ｂを介して第１ピラー部１３４ｃと接続されている。第２半導体層１３１ｃの表面に設けられた図示しない電極は、第２シード部１３５ａ、第２電極配線１３５ｂを介して第２ピラー部１３５ｃと接続されている。  
すなわち、第１電極部１３４は、第１半導体層１３１ａに設けられた図示しない電極と接続された引き出し電極である。  
第２電極部１３５は、第２半導体層１３１ｃに設けられた図示しない電極と接続された引き出し電極である。
【００４３】
第１シード部１３４ａ、第１電極配線１３４ｂ、第１ピラー部１３４ｃ、第２シード部１３５ａ、第２電極配線１３５ｂ、および第２ピラー部１３５ｃは、例えば、銅、金、ニッケル、銀などの金属から形成することができる。この場合、熱伝導性、マイグレーション耐性、封止部１３６との密着性などを考慮すれば、これらを銅から形成することが好ましい。
【００４４】
封止部１３６は、第１封止部１３６ａ、第２封止部１３６ｂを有する。  
第１封止部１３６ａは、発光素子１３１の面１３１ｅ側、及び側面１３１ｆ側を覆うように設けられている。  
第２封止部１３６ｂは、第１電極配線１３４ｂ、第１ピラー部１３４ｃ、第２電極配線１３５ｂ、および第２ピラー部１３５ｃを覆うように設けられている。なお、第１ピラー部１３４ｃの端面１３４ｃａと、第２ピラー部１３５ｃの端面１３５ｃａは、第２封止部１３６ｂから露出している。
【００４５】
第１封止部１３６ａおよび第２封止部１３６ｂは、絶縁性を有する有機材料や無機材料などから形成することができる。この場合、第１封止部１３６ａ、第２封止部１３６ｂ、および絶縁部１３３を一体に形成することもできる。  
また、第１ピラー部１３４ｃ、第２ピラー部１３５ｃ、および第２封止部１３６ｂの厚みを厚くすれば、発光素子１３１の厚みが薄い場合であっても、発光素子１３１の機械的強度の低下を補うことができる。
【００４６】
図７（ａ）、（ｂ）は、複数の発光部１３が設けられる場合を例示するための模式斜視図である。  
複数の発光部１３を設ける場合には、図７（ａ）に例示をしたように直列接続することもできるし、図７（ｂ）に例示をしたように並列接続することもできる。  
なお、発光部１３の数や配設形態は例示をしたものに限定されるわけではなく、発光装置１の用途や大きさなどに応じて適宜変更することができる。  
例えば、複数の発光部１３の配設形態は、図７（ａ）、（ｂ）に例示をしたように直線状に並べたもの、マトリクス状（複数列および複数行）に並べたもの、円周上に並べたもの、同心円上に並べたものなどであってもよい。  
また、複数の発光部１３を直列接続または並列接続する場合を例示したが、複数の発光部１３を直並列接続してもよい。
【００４７】
本実施の形態に係る発光装置１とすれば、発光モジュール１０と、回路モジュール２０とを積層して設けることができる。  
そのため、発光装置１の小型化を図ることができる。  
この場合、発光モジュール１０において複数の発光部１３を自由にレイアウトし、回路モジュール２０において発光部１３よりも大きな電源２３ａおよび抵抗２３ｂを自由にレイアウトすることができる。  
また、接続部１４、接続部１５、接続部２４、および接続部２５をスイッチとして用いることができる。すなわち発光部１３よりも大きなスイッチを設ける必要もない。  
また、例えば、発光部１３の発光色、数、配設形態などが異なる発光モジュール１０に適宜交換することで、種々の用途に容易に対応することができる。
【００４８】
（第２の実施形態）  
図８（ａ）は、第２の実施形態に係る発光装置１ａを例示するための模式断面図である。
図８（ｂ）は、発光装置１ａの等価回路図である。  
なお、図８（ａ）、（ｂ）は、電気的および機械的に一体化された発光モジュール１０および回路モジュール２０ａと、配線モジュール３０とが分離された状態を表している。
図８（ａ）、（ｂ）に示すように、発光装置１ａには、発光モジュール１０、回路モジュール２０ａ、および配線モジュール３０が設けられている。  
発光モジュール１０と回路モジュール２０ａは、カバー２２ａを介して機械的に一体化されている。  
また、後述するように、発光モジュール１０に設けられた発光部１３（発光素子１３１）と、回路モジュール２０ａに設けられた電源２３ａとは直列接続され、発光モジュール１０および回路モジュール２０ａは電気的にも一体化されている。
【００４９】
回路モジュール２０ａは、基板２１、カバー２２ａ、電源２３ａ、コンタクト２８、接続部１４（第５の接続部の一例に相当する）、および接続部１５（第６の接続部の一例に相当する）を有する。  
カバー２２ａは、基板１１と基板２１の間に設けられている。カバー２２ａの一方の面は基板１１に接合されている。カバー２２ａの他方の面は基板２１に接合されている。  
例えば、接着剤などを用いて、基体１１ａの、配線パターン１１ｂが設けられた側とは反対側の面に、カバー２２ａの一方の面を接合することができる。また、例えば、接着剤などを用いて、基体２１ａの、配線パターン２１ｂが設けられた側の面に、カバー２２ａの他方の面を接合することができる。カバー２２ａの基体２１ａ側の面には凹部が設けられている。カバー２２ａの凹部の内部には、電源２３ａが収納される。
【００５０】
コンタクト２８は、カバー２２ａの内部に設けられている。コンタクト２８は、金属などの導電性材料から形成されている。  
電源２３ａのマイナス極側は、配線パターン２１ｂ１、コンタクト２１ｃを介して接続部１５と電気的に接続されている。  
電源２３ａのプラス極側は、配線パターン２１ｂ、コンタクト２８、コンタクト１１ｃ、配線パターン１１ｂを介して発光部１３の第１電極部１３４（アノード側電極）と電気的に接続されている。  
発光部１３の第２電極部１３５（カソード側電極）は、配線パターン１１ｂ、コンタクト１１ｃ、コンタクト２８、コンタクト２１ｃを介して接続部１４と電気的に接続されている。  
すなわち、電源２３ａと発光部１３（発光素子１３１）は直列接続されている。
【００５１】
配線モジュール３０は、取り付け部２２ｂ、抵抗２３ｂ、接続部２４（第７の接続部の一例に相当する）、および接続部２５（第８の接続部の一例に相当する）を有する。  
接続部２４および接続部２５は、取り付け部２２ｂの一方の面に設けられている。接続部２４および接続部２５は、例えば、接合剤や接着剤などを用いて、取り付け部２２ｂに接合することができる。  
抵抗２３ｂは、接続部２４と接続部２５の間に設けられている。接続部２４、抵抗２３ｂ、および接続部２５は、直列接続されている。抵抗２３ｂは、例えば、取り付け部２２ｂに固定することもできる。  
なお、抵抗２３ｂは、発光モジュール１０または回路モジュール２０ａに設けることもできる。  
すなわち、接続部２４と接続部２５が導通していれば良い。
【００５２】
接続部１４と接続部２４を接続し、接続部１５と接続部２５を接続することで、発光モジュール１０および回路モジュール２０ａと、配線モジュール３０とを電気的に接続することができる。  
発光モジュール１０および回路モジュール２０ａと、配線モジュール３０とを電気的に接続することで、電源回路２３（電源２３ａ、抵抗２３ｂ）が構成される。また、発光素子１３１に電流が流れ、発光装置１ａが点灯する。  
接続部１４と接続部２４、または、接続部１５と接続部２５を分離すると、発光素子１３１に電流が流れなくなる。そのため、発光装置１ａが消灯する。
【００５３】
図９（ａ）は、他の実施形態に係る接続部２４および接続部２５を例示するための模式断面図である。  
図９（ｂ）は、等価回路図である。  
なお、図９（ａ）、（ｂ）は、電気的および機械的に一体化された発光モジュール１０および回路モジュール２０ａと、配線モジュール３０とが分離された状態を表している。
【００５４】
図９（ａ）、（ｂ）に示すように、接続部２４は、複数の部分２４ａに分割することができる。  
接続部２５は、複数の部分２５ａに分割することができる。  
抵抗２３ｂは、接続部２４（部分２４ａ）と接続部２５（部分２５ａ）の間に設けられている。接続部２４（部分２４ａ）、抵抗２３ｂ、および接続部２５（部分２５ａ）は、直列接続されている。抵抗２３ｂは、例えば、取り付け部２２ｂに固定することもできる。
接続部２４および接続部２５を分割構造とすれば、保持力を調整することができる。
また、分割構造の１部を接続させれば、発光モジュール１０および回路モジュール２０ａと、配線モジュール３０の電気的接続及び機械的接続が可能となる。そのため、発光モジュール１０および回路モジュール２０ａと、配線モジュール３０の位置合わせを厳密に行う必要がない。
この場合、分割数、分割された部分の幅寸法、分割された部分同士の間の寸法などを適宜設定することで、所望の保持力を得ることができる。  
また、接続部２４および接続部２５が分割される場合を例示したが、図３（ａ）に例示をしたものと同様に接続部１４および接続部１５を分割することもできる。
【００５５】
図１０（ａ）は、他の実施形態に係る接続部１４、接続部１５、接続部２４、および接続部２５を例示するための模式断面図である。  
図１０（ｂ）は、等価回路図である。  
なお、図１０（ａ）、（ｂ）は、電気的および機械的に一体化された発光モジュール１０および回路モジュール２０ａと、配線モジュール３０とが分離された状態を表している。
【００５６】
図１０（ａ）、（ｂ）に示すように、接続部１４は、複数の部分１４ａに分割することができる。  
接続部１５は、複数の部分１５ａに分割することができる。  
電源２３ａのマイナス極側は、配線パターン２１ｂ１、コンタクト２１ｃを介して、複数の部分１５ａのそれぞれと電気的に接続されている。  
電源２３ａのプラス極側は、配線パターン２１ｂ、コンタクト２８、コンタクト１１ｃ、配線パターン１１ｂを介して発光部１３の第１電極部１３４（アノード側電極）と電気的に接続されている。  
発光部１３の第２電極部１３５（カソード側電極）は、配線パターン１１ｂ、コンタクト１１ｃ、コンタクト２８、コンタクト２１ｃを介して、複数の部分１４ａのそれぞれと電気的に接続されている。  
すなわち、電源２３ａと発光部１３（発光素子１３１）は直列接続されている。
【００５７】
また、接続部２４は、複数の部分２４ａに分割することができる。  
接続部２５は、複数の部分２５ａに分割することができる。  
抵抗２３ｂは、接続部２４（部分２４ａ）と接続部２５（部分２５ａ）の間に設けられている。接続部２４（部分２４ａ）、抵抗２３ｂ、および接続部２５（部分２５ａ）は、直列接続されている。抵抗２３ｂは、例えば、取り付け部２２ｂに固定することもできる。
また、分割構造の１部を接続させれば、発光モジュール１０および回路モジュール２０ａと、配線モジュール３０の電気的接続及び機械的接続が可能となる。そのため、発光モジュール１０および回路モジュール２０ａと、配線モジュール３０の位置合わせを厳密に行う必要がない。
この場合、分割数、分割された部分の幅寸法、分割された部分同士の間の寸法などを適宜設定することで、所望の保持力を得ることができる。  
なお、接続部１４、接続部１５、接続部２４、および接続部２５の少なくともいずれかを分割してもよい。
【００５８】
（第３の実施形態）  
図１１（ａ）は、第３の実施形態に係る発光装置１ｂを例示するための模式断面図である。  
図１１（ｂ）は、発光装置１ｂの等価回路図である。  
なお、図１１（ａ）、（ｂ）は、機械的に一体化された発光モジュール１０および回路モジュール２０ｂと、配線モジュール３０ａとが分離された状態を表している。  
図１１（ａ）、（ｂ）に示すように、発光装置１ｂには、発光モジュール１０、回路モジュール２０ｂ、および配線モジュール３０ａが設けられている。
【００５９】
回路モジュール２０ｂは、基板２１、カバー２２ａ、電源２３ａ、コンタクト２８、接続部１４１（第９の接続部の一例に相当する）、接続部１４２（第１１の接続部の一例に相当する）、接続部１５１（第１０の接続部の一例に相当する）、および接続部１５２（第１２の接続部の一例に相当する）を有する。  
接続部１４１、接続部１４２、接続部１５１、および接続部１５２の構成は、前述した接続部１４および接続部１５と同様とすることができる。  
発光モジュール１０および回路モジュール２０ｂと、配線モジュール３０ａとが分離された状態では、接続部１４１と接続部１４２は、電気的に接続されていない。  
発光モジュール１０および回路モジュール２０ｂと、配線モジュール３０ａとが分離された状態では、接続部１５１と接続部１５２は、電気的に接続されていない。  
発光モジュール１０と回路モジュール２０ｂは、カバー２２ａを介して機械的に一体化されている。  
発光モジュール１０および回路モジュール２０ｂと、配線モジュール３０ａとが分離された状態では、発光モジュール１０に設けられた発光部１３（発光素子１３１）と、回路モジュール２０ｂに設けられた電源２３ａとは電気的に接続されていない。
【００６０】
電源２３ａのマイナス極側は、配線パターン２１ｂ、コンタクト２１ｃを介して接続部１５２と電気的に接続されている。  
電源２３ａのプラス極側は、抵抗２３ｂ、配線パターン２１ｂ、コンタクト２１ｃを介して接続部１４２と電気的に接続されている。  
発光部１３の第１電極部１３４（アノード側電極）は、配線パターン１１ｂ、コンタクト１１ｃ、コンタクト２８、コンタクト２１ｃを介して接続部１５１と電気的に接続されている。  
発光部１３の第２電極部１３５（カソード側電極）は、配線パターン１１ｂ、コンタクト１１ｃ、コンタクト２８、コンタクト２１ｃを介して接続部１４１と電気的に接続されている。  
発光モジュール１０および回路モジュール２０ｂと、配線モジュール３０ａとが分離された状態では、接続部１４１、接続部１４２、接続部１５１、および接続部１５２は電気的に接続されていないので、電源２３ａと発光部１３（発光素子１３１）は電気的に接続されていない。
【００６１】
配線モジュール３０ａは、取り付け部２２ｂ、接続部２４（第１３の接続部の一例に相当する）、および接続部２５（第１４の接続部の一例に相当する）を有する。  
接続部２４および接続部２５は、取り付け部２２ｂの一方の面に設けられている。接続部２４および接続部２５は、例えば、接着剤などを用いて、取り付け部２２ｂに接合することができる。
【００６２】
接続部２４は、接続部１４１および接続部１４２と対峙させて設けられている。  
接続部２５は、接続部１５１および接続部１５２と対峙させて設けられている。  
接続部２４と、接続部１４１および接続部１４２とを接続し、接続部２５と、接続部１５１および接続部１５２とを接続することで、発光モジュール１０と回路モジュール２０ｂとが電気的に接続される。  
この場合、発光モジュール１０と回路モジュール２０ｂとを電気的に接続することで、抵抗２３ｂ、電源２３ａ、および発光素子１３１が直列接続されるようになっている。
【００６３】
接続部２４と、接続部１４１および接続部１４２とを接続し、接続部２５と、接続部１５１および接続部１５２とを接続すれば、発光素子１３１に電流が流れ、発光装置１ｂが点灯する。  
接続部１４１および接続部１４２の少なくともいずれかが接続部２４から分離する、または、接続部１５１および接続部１５２の少なくともいずれかが接続部２５から分離すると、発光素子１３１に電流が流れなくなる。そのため、発光装置１ｂが消灯する。
【００６４】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００６５】
１  発光装置、１ａ  発光装置、１ｂ  発光装置、１０  発光モジュール、１１  基板、１１ａ  基体、１１ｂ  配線パターン、１１ｃ  コンタクト、１３  発光部、１４  接続部、１４ａ  部分、１４１  接続部、１４２  接続部、１５  接続部、１５ａ  部分、１５１  接続部、１５２  接続部、２０  回路モジュール、２０ａ  回路モジュール、２０ｂ  回路モジュール、２１  基板、２１ａ  基体、２１ｂ  配線パターン、２１ｃ  コンタクト、２２  ケース、２２ａ  カバー、２３  電源回路、２３ａ  電源、２３ｂ  抵抗、２４  接続部、２４ａ  部分、２５  接続部、２５ａ  部分、１７  フック部、１７ａ  フック部、２７  ループ部、２７ａ  ループ部、２８  コンタクト、３０  配線モジュール、３０ａ  配線モジュール、１３１  発光素子、１３４  第１電極部、１３５  第２電極部
【図１】
2017054794.tif 000003
【図２】
2017054794.tif 000004
【図３】
2017054794.tif 000005
【図４】
2017054794.tif 000006
【図５】
2017054794.tif 000007
【図６】
2017054794.tif 000008
【図７】
2017054794.tif 000009
【図８】
2017054794.tif 000010
【図９】
2017054794.tif 000011
【図１０】
2017054794.tif 000012
【図１１】
2017054794.tif 000013